(57)【要約】【課題】パワーケーブルの接続部の配置位置を電動機のコイルの位置に制約されることなく設定して外径を可及的に小さくした駆動装置を提供する。【解決手段】ケーシング３の内部に配置された電動機１，２が、パワーケーブル２８を介して前記ケーシング３の外部の機器に電気的に接続されている車両用駆動装置であって、前記パワーケーブル２８を前記電動機１，２に対して導通させる接続部２９，３０が、前記電動機１，２におけるコイル１２，１７の端部から軸線方向に離隔した位置に設けられている。【選択図】　図１
2004120961.tif 000002
【特許請求の範囲】
【請求項１】
ケーシングの内部に配置された電動機が、パワーケーブルを介して前記ケーシングの外部の機器に電気的に接続されている電動機を内蔵した車両用駆動装置において、
前記パワーケーブルを前記電動機に対して導通させる接続部が、前記電動機におけるコイルの端部から軸線方向に離隔した位置に設けられていることを特徴とする電動機を内蔵した車両用駆動装置。
【請求項２】
前記電動機と前記接続部とが、前記ケーシングの内部に配置されたバスバーによって接続されていることを特徴とする請求項１に記載の電動機を内蔵した車両用駆動装置。
【請求項３】
前記電動機にその軸線方向に隣接して歯車機構が配置され、前記接続部が、その歯車機構を挟んで前記電動機とは反対側に配置されていることを特徴とする請求項１または２に記載の電動機を内蔵した車両用駆動装置。
【請求項４】
前記電動機が互いに同一軸線上に配列された第１モータと第２モータとを含み、かつ前記歯車機構が第２モータを挟んで第１モータとは反対側に配置され、さらにその歯車機構を挟んで前記第２モータとは反対側で歯車機構と同一軸線上に出力軸が配置され、
前記第１モータと第２モータとの少なくともいずれか一方と前記バスバーとがこれら第１モータと第２モータとの中間位置で電気的に接続され、かつそのバスバーが互いに絶縁された複数の導体を積層した構造とされるとともに、それらの導体が前記歯車機構の外周側で円周方向に位置をずらせた状態で露出させられて前記接続部に導通させられていることを特徴とする請求項３に記載の電動機を内蔵した車両用駆動装置。
【請求項５】
ケーシングの内部に配置された電動機が、パワーケーブルを介して前記ケーシングの外部の機器に電気的に接続されている電動機を内蔵した車両用駆動装置において、
前記電動機の軸線方向での前記ケーシングの端部に、前記パワーケーブルを前記ケーシングに対して前記軸線方向に延びた状態に接続する接続部が設けられ、その接続部と前記電動機とを電気的に接続する磁気遮蔽されたバスバーが設けられていることを特徴とする電動機を内蔵した車両用駆動装置。
【発明の詳細な説明】
【０００１】
【発明の属する技術分野】
この発明は、電動機を動力源とした電気自動車や内燃機関と電動機とを動力源としたハイブリッド車などの車両における駆動装置に関し、特に電動機を内蔵している駆動装置に関するものである。
【０００２】
【従来の技術】
最近では、化石燃料の燃焼に伴う排ガスを可及的に削減し、また併せて燃料の消費量を削減するために、電動機を動力源として備えた車両が開発されている。この種の車両では、電動機（もしくは発電・電動機）を外部環境から保護するためにケーシングの内部に収容することになるが、電源はそのケーシングの外部に配置されているから、ケーシングを貫通してパワーケーブルを電動機もしくはそのコイルに接続する必要がある。一方、電動機を含む駆動装置は他の一般の装置と同様に可及的に小型軽量であることが好ましく、乗用車などにおいては、室内空間を確保するためにその要求が特に強い。
【０００３】
そこで、例えば特開平１１−９８７５５号公報に記載された発明では、電気自動車用駆動装置におけるケースの外形を小さくするために、電動機におけるコイルのリードとパワーケーブルとを接続する接続部を、コイルの端部近傍におけるケース周壁に設け、その接続部に対して軸線方向に整合する窓孔をケースに設けている。
【０００４】
【特許文献１】
特開平１１−９８７５５号公報（段落（００１５）〜（００１７）、図１、図２）
【０００５】
【発明が解決しようとする課題】
上記の公報に記載された構成では、コイルの端部に近い位置でリードとパワーケーブルとを接続することになるが、その接続部がケースの軸線方向における中間部に位置することになるので、ケースがその部分で大径となり、あるいはパワーケーブルを配索するためのスペースをケースの軸線方向での中央部に対応する箇所に設ける必要がある。そのため例えば前置きエンジン・後輪駆動車において、変速機構と共に上記の電動機をケーシングの内部に収容した構成の駆動装置を使用する場合、その駆動装置を車室の下側に配置することになるので、駆動装置の設置スペースを確保するためにフロアーパネルに形成するトンネルと称される断面円弧状の盛り上がり部分が大きくなり、車室の空間容積を圧迫する要因になる。
【０００６】
この発明は上記の技術的課題に着目してなされたものであり、電動機を内蔵した駆動装置であって、外径を抑制することのできる構成の駆動装置を提供することを目的とするものである。
【０００７】
【課題を解決するための手段およびその作用】
この発明は、上記の目的を達成するために、パワーケーブルをケーシング内に収容された電動機に導通させる接続部を、その電動機のコイルの端部から軸線方向に離隔した位置に設けたことを特徴とするものである。より具体的には、請求項１の発明は、ケーシングの内部に配置された電動機が、パワーケーブルを介して前記ケーシングの外部の機器に電気的に接続されている電動機を内蔵した車両用駆動装置において、前記パワーケーブルを前記電動機に対して導通させる接続部が、前記電動機におけるコイルの端部から軸線方向に離隔した位置に設けられていることを特徴とする駆動装置である。
【０００８】
したがって請求項１の発明では、前記接続部の位置が、電動機のコイルの位置によって制限を受けないので、接続部の配置の自由度が増大する。その結果、外径の増大要因となる接続部が、駆動装置の周辺機器との干渉の少ない箇所に配置され、駆動装置の車載性が向上する。
【０００９】
また、請求項２の発明は、請求項１の発明において、前記電動機と前記接続部とが、前記ケーシングの内部に配置されたバスバーによって接続されていることを特徴とする駆動装置である。
【００１０】
したがって請求項２の発明では、電動機とそのコイルから離隔している接続部とが銅などの高導電性材料からなる板状もしくは軸状部材であるバスバーによって接続され、かつそのバスバーがケーシングの内部に配置されている。そのため、電動機のコイルと接続部とを電気的に導通させるバスバーが、駆動装置の外径の増大要因になることが抑制され、特にバスバーがケーシングの内部に収容されていることにより、バスバー自体に電磁遮蔽の構造を設ける必要がないので、バスバーの外径を可及的に小さくして外径の増大が抑制もしくは防止される。
【００１１】
さらに、請求項３の発明は、請求項１または２の構成において、前記電動機にその軸線方向に隣接して歯車機構が配置され、前記接続部が、その歯車機構を挟んで前記電動機とは反対側に配置されていることを特徴とする駆動装置である。
【００１２】
したがって請求項３の発明では、パワーケーブルを接続する接続部が、歯車機構を挟んで電動機とは反対側に配置され、その状態で電動機と接続部とが電気的に導通させられている。そのため、パワーケーブルをケーシングの外周側から接続部に連結するよう導く必要がないので、駆動装置の外径の増大要因が削減される。
【００１３】
またさらに、請求項４の発明は、請求項３の構成において、前記電動機が互いに同一軸線上に配列された第１モータと第２モータとを含み、かつ前記歯車機構が第２モータを挟んで第１モータとは反対側に配置され、さらにその歯車機構を挟んで前記第２モータとは反対側で歯車機構と同一軸線上に出力軸が配置され、前記第１モータと第２モータとの少なくともいずれか一方と前記バスバーとがこれら第１モータと第２モータとの中間位置で電気的に接続され、かつそのバスバーが互いに絶縁された複数の導体を積層した構造とされるとともに、それらの導体が前記歯車機構の外周側で円周方向に位置をずらせた状態で露出させられて前記接続部に導通させられていることを特徴とする駆動装置である。
【００１４】
したがって請求項４の発明では、前記接続部が出力軸側、すなわち軸端側に配置され、その接続部を介してパワーケーブルに導通させられる第１モータが、前記接続部とは軸線方向で反対の端部側に配置されている。そして、その第１モータと接続部とを導通させるバスバーが、第２モータおよび歯車機構の外周側を通って配置され、第１モータに対しては、各モータの中間位置で接続されている。これに対してバスバーの接続部に対する導通は、バスバーを構成している複数の導体を歯車機構の外周側で円周方向に展開させ、円周方向に互いにずらして導体を露出させ、その露出端を接続部に連結することにおこなわれている。その結果、第１および第２のモータおよび歯車機構ならびに出力軸が軸線方向に並んで配置されていることに併せて、接続部が出力軸に近い端部側に配置され、軸線方向での寸法の制約要因が相対的に少ないいわゆる縦置きエンジンタイプの車両に適した駆動装置とすることができる。
【００１５】
そして、請求項５の発明は、ケーシングの内部に配置された電動機が、パワーケーブルを介して前記ケーシングの外部の機器に電気的に接続されている電動機を内蔵した車両用駆動装置において、前記電動機の軸線方向での前記ケーシングの端部に、前記パワーケーブルを前記ケーシングに対して前記軸線方向に延びた状態に接続する接続部が設けられ、その接続部と前記電動機とを電気的に接続する磁気遮蔽されたバスバーが設けられていることを特徴とする駆動装置である。
【００１６】
したがって請求項５の発明では、電動機とパワーケーブルとを電気的に導通させる接続部が、ケーシングの軸線方向での端部に設けられており、その接続部に対して電動機を電気的に導通させるバスバーが、電磁遮蔽された状態で設けられている。そのバスバーは、ケーシングの内部に設けられて電磁遮蔽され、あるいはケーシングの外面に絶縁処理した状態で沿わせて配置されるとともに適宜の被覆材によって電磁遮蔽される。その結果、外径の増大要因となる接続部がケーシングの端部に設けられることにより、駆動装置の全体としての外形寸法が抑制され、また電動機と接続部とを電気的に接続するためのバスバーをケーシングに内外のいずれかに沿わせて配置できるために、その点でも外径の増大要因が抑制される。
【００１７】
【発明の実施の形態】
つぎにこの発明を具体例に基づいて説明する。図１は、この発明の一例を模式的に示しており、ここに示す例は、ハイブリッド車用の駆動装置であって、駆動装置および回生装置として機能する二つのモータ・ジェネレータ１，２を備えている。これらのモータ・ジェネレータ１，２を収容しているケーシング３の一方の端部（図１での左側の端部）が開口しており、その開口端でエンジン４に連結されている。
【００１８】
また、ケーシング３の内部には、エンジン４側に突出させた入力軸５が回転自在に保持されており、その入力軸５の突出端部にトルクリミッタ６が取り付けられ、そのトルクリミッタ６を介して入力軸５がエンジン４の出力軸７に連結されている。
【００１９】
入力軸５は、ケーシング３の軸線方向での中間部にまで延びており、その端部に、トルク合成分配機構８が設けられている。このトルク合成分配機構８は、図１に示す例では、遊星歯車機構によって構成されており、サンギヤ９とリングギヤ１０とに噛合しているピニオンギヤを保持しているキャリヤ１１に入力軸５が連結されている。
【００２０】
入力軸５の外周側に第１モータ・ジェネレータ１が入力軸５と同軸状に配置されている。この第１モータ・ジェネレータ１は、一例として三相同期型電動機によって構成されており、コイル１２を備えたステータ１３の内周側にロータ１４が回転自在に配置されている。そのロータ１４と一体の中空軸であるロータ軸１５が前記入力軸５の外周側に回転自在に嵌合しており、そのロータ軸１５が前記サンギヤ９に一体化されている。なお、上記のステータ１３はケーシング３の内面に固定されている。また、第１モータ・ジェネレータ１には、そのロータ１４が所定角度回転する毎に信号を出力するレゾルバ（図示せず）が設けられている。
【００２１】
前記入力軸５の延長方向（図１の右方向）に、中間軸１６が入力軸５と同一軸線上に位置するように、回転自在に配置されている。その中間軸１６における入力軸５側の端部が円筒状に形成されており、その円筒状部分で前記リングギヤ１０に一体化されている。したがってトルク合成分配機構８によって、エンジン４の出力したトルクを中間軸１６と第１モータ・ジェネレータ１とに分配して第１モータ・ジェネレータ１で発電をおこない、また中間軸１６を固定した状態で第１モータ・ジェネレータ１を駆動することにより第１モータ・ジェネレータ１でエンジン４をモータリング（クランキング）し、さらに中間軸１６から第１モータ・ジェネレータ１にトルクを伝達して第１モータ・ジェネレータ１で発電することによりエネルギの回生をおこなうようになっている。
【００２２】
中間軸１６の外周側に第２モータ・ジェネレータ２が中間軸１６と同軸状に配置されている。この第２モータ・ジェネレータ２は、一例として上記の第１モータ・ジェネレータ１よりも容量の大きい三相同期型電動機によって構成されており、コイル１７を備えたステータ１８の内周側にロータ１９が回転自在に配置されている。そのロータ１９と一体の中空軸であるロータ軸２０が前記中間軸１６の外周側に回転自在に嵌合している。なお、上記のステータ１８はケーシング３の内面に固定されている。また、第２モータ・ジェネレータ２にはそのロータ１９が所定角度回転する毎に信号を出力するレゾルバ（図示せず）が設けられている。
【００２３】
上記の中間軸１６の延長方向（図１の右方向）には、ケーシング３を貫通してケーシング３の外部に延出した出力軸２１が、中間軸１６と同一軸線上に回転自在に配置されている。そして、中間軸１６の先端部と出力軸２１の後端部とが互いにスプラインなどの手段で回転方向で一体化するように連結されている。
【００２４】
また、第２モータ・ジェネレータ２におけるロータ軸２０と出力軸２１とが、歯車機構２２を介して連結されている。この歯車機構２２は、互いに一体となって回転する大径歯車２３と小径歯車２４とを備え、これらの歯車２３，２４が、前記中間軸１６および出力軸２１の中心軸線と平行な軸線を中心にして回転するように、前記ケーシング３の内部に保持されている。そして、ロータ軸２０に一体化された歯車２５が大径歯車２３に噛合し、出力軸２１に一体化された歯車２６が小径歯車２４に噛合している。すなわちこの歯車機構２２は、第２モータ・ジェネレータ２の出力トルクを増大して出力軸２１に伝達する減速歯車機構として構成されている。なお、この歯車機構２２は、遊星歯車機構によって構成することもできる。
【００２５】
したがって走行中に第２モータ・ジェネレータ２を駆動することにより、そのトルクが歯車機構２２を介して出力軸２１に伝達され、駆動力を補助するようになっている。また、走行慣性力によって第２モータ・ジェネレータ２を回転させて発電することにより、エネルギの回生をおこうなうことができる。
【００２６】
上記の出力軸２１にパーキングギヤ２７が一体回転するように嵌合させられる。このパーキングギヤ２７は、図１に示す駆動装置を搭載した車両を停止状態に維持するための歯車であって、ロックポールなどの固定部材（図示せず）を係合させてパーキングギヤ２７の回転を止めることにより、出力軸２１に連結されている駆動輪（図示せず）を固定するようになっている。
【００２７】
この発明における電動機に相当する上記の第１モータ・ジェネレータ１および第２モータ・ジェネレータ２に対して電力を供給し、またこれらのモータ・ジェネレータ１，２でエネルギ回生（発電）をおこなった場合に電力を出力させるための構成について、次に説明する。各モータ・ジェネレータ１，２に対する電力の入出力は、パワーケーブル２８によっておこなうようになっている。このパワーケーブル２８は、電磁遮蔽および絶縁被覆を施した大容量のケーブルであって、このパワーケーブル２８を接続するための端子台である接続部２９，３０が、前記ケーシング３の内部で、前記歯車機構２２を挟んだ前記第２モータ・ジェネレータ２とは反対側の外周部、より正確にはパーキングギヤ２７の外周側に配置されている。
【００２８】
各モータ・ジェネレータ１，２を三相同期型電動機で構成した場合には、三本のケーブルを必要とするので、各接続部２９，３０は、各ケーブル導体に取り付けた圧着端子などの端子部材をネジ止めするように構成されている。また、各接続部２９，３０は、図２に示すように、出力軸２１を中心とした円周方向に所定の間隔をあけた状態で配列されており、ケーシング３の軸線方向における端部の側壁部を貫通させて挿入したパワーケーブル２８の端部を連結するように構成されている。なお、ケーシング３には、各接続部２９，３０に対するパワーケーブル２８の接続作業をおこなうための開閉自在な窓孔が形成されている。
【００２９】
これらの接続部２９，３０と各モータ・ジェネレータ１，２のコイル１２，１７とが、ケーシング３の内部に配置したバスバーによって電気的に導通されている。図１には、第１モータ・ジェネレータ１におけるコイル１２と接続部２９とを導通させるためのバスバー３１を示してある。このバスバー３１は、銅などの高導電性金属からなる平板状もしくは軸状の導体３１ａ，３１ｂ，３１ｃを備え、これらの導体３１ａ，３１ｂ，３１ｃを図３に示すように一定間隔をあけて積層し、その状態で絶縁性の樹脂３２で一体に被覆するようにモールドして構成されている。
【００３０】
このバスバー３１は、上述した第２モータ・ジェネレータ２および歯車機構２２の外周側に配置されており、第１モータ・ジェネレータ１に導通させるための一方の端部が、第１モータ・ジェネレータ１と第２モータ・ジェネレータ２との中間位置にまで延びている。これに対して第１モータ・ジェネレータ１におけるコイル１２のリード線３３が、第１モータ・ジェネレータ１と第２モータ・ジェネレータ２との中間位置に引き出されている。そして、各相のリード線３３がバスバー３１におけるそれぞれに対応する導体３１ａ，３１ｂ，３１ｃに、第１モータ・ジェネレータ１と第２モータ・ジェネレータ２との中間位置で接続されてる。
【００３１】
さらに、バスバー３１の他方の端部（接続部２９側の端部）は、ケーシング３の内周面に沿って湾曲しており、その端部は、接続部２９の近傍において円周方向に互いにずらされ、かつ露出され、その露出した端部で、接続部２９に電気的に導通させられている。したがってバスバー３１はケーシング３の内部に収容されていることによりケーシング３がバスバー３１の電磁シールドの機能を果たすので、バスバー３１自体には磁気遮蔽は施されていない。
【００３２】
他方、第２モータ・ジェネレータ２を接続部３０に導通させるための構成は、特には図示していないが、上記のバスバー３１と同様のバスバーが用いられている。すなわち、第２モータ・ジェネレータ２および歯車機構２２の外周側に、軸線方向に向けて、積層構造のバスバーが配置され、その一方の端部が、各モータ・ジェネレータ１，２の中間位置に延びている。これに対して第２モータ・ジェネレータ２におけるコイル１７のリード線が、各モータ・ジェネレータ１，２の中間位置に引き出されてバスバーの一方の端部に接続されている。さらに、そのバスバーの他方の端部が、前記接続部３０の近傍に延び、露出させられた各相の導体が接続部３０の対応する箇所に電気的に接続されている。
【００３３】
したがって上記の駆動装置では、パワーケーブル２８を接続する接続部２９，３０が各モータ・ジェネレータ１，２のコイル１２，１７の端部から大きく離れた位置、すなわちケーシング３の軸線方向での端部に配置されているので、パワーケーブル２８の端部やこれを接続する接続部２９，３０が駆動装置の外径を増大する要因にならない。言い換えれば、接続部２９，３０をコイル１２，１７あるいはその端部の位置に制約されることなく配置できる。そのため、駆動装置の外径の増大要因を削減してその小径化を図り、車載性を向上させることができる。特に上記の構成では、各モータ・ジェネレータ１，２および歯車機構２２ならびに出力軸２１が軸線方向に配列されており、その出力軸２１の延長方向と平行な方向に向けてパワーケーブル２８を接続し、かつ延出させるので、軸線方向での寸法の制約が比較的緩やかないわゆる縦置きエンジンタイプの車両に好適な駆動装置とすることができる。
【００３４】
さらに、上記の構成では、パワーケーブル２８と同等の電流が流れるバスバー３１が、金属製のケーシング３の内部に収容されているので、ケーシング３がバスバー３１に対する電磁シールドの機能を生じる。そのため、バスバー３１自体に磁気遮蔽を施す必要がないので、バスバー３１の外装を薄肉にして細くすることができ、その結果、この点でも駆動装置の外径を抑制することができる。
【００３５】
なお、この発明は上記の具体例に限定されないのであり、バスバーの配置構造を上記の具体例とは異ならせることができる。すなわち、この発明は、パワーケーブルを接続する接続部と電動機とを、バスバーによって電気的に導通させることを第１の特徴としており、したがってそのバスバーは、ケーシングの壁面に沿わせて配置されていれば、その内部に限らず、ケーシングの外部であってもよい。その場合、バスバー自体に磁気遮蔽を施し、そのバスバーをケーシングの外面に沿わせて配置し、電動機のコイルの端部から離れたケーシングの軸線方向での端部に設けた接続部にバスバーを導通させる構成としてもよい。また、これに替えて、ケーシングの外表面にバスバーを嵌め込む凹部を形成し、その凹部を金属などの導電性材料で閉塞することにより、バスバーを磁気遮蔽する構成としてもよい。このような構成であれば、バスバー自体に磁気遮蔽を施す必要がないので、駆動装置の外径の増大要因を更に削減することができる。
【００３６】
【発明の効果】
以上説明したように、請求項１の発明によれば、外部の機器と電気的に接続するためのパワーケーブルを接続する接続部の位置が、電動機のコイルの位置によって制限を受けないので、接続部の配置の自由度が増大し、その結果、外径の増大要因なる接続部を、駆動装置の周辺機器との干渉の少ない箇所に配置でき、駆動装置の車載性を向上させることができる。
【００３７】
また、請求項２の発明によれば、電動機とそのコイルから離隔している接続部とが銅などの高導電性材料からなる板状もしくは軸状部材であるバスバーによって接続され、かつそのバスバーがケーシングの内部に配置されているため、そのバスバーが、駆動装置の外径の増大要因になることが抑制され、特にバスバーがケーシングの内部に収容されていることにより、バスバー自体に電磁遮蔽の構造を設ける必要がないので、バスバーの外径を可及的に小さくして駆動装置の外径の増大を効果的に抑制もしくは防止することができる。
【００３８】
さらに、請求項３の発明によれば、パワーケーブルを接続する接続部が、歯車機構を挟んで電動機とは反対側に配置され、その状態で電動機と接続部とが電気的に導通させられているため、パワーケーブルをケーシングの外周側から接続部に連結するよう導く必要がなく、その結果、駆動装置の外径の増大要因を削減して外径が小さく車載性に優れた駆動装置を得ることができる。
【００３９】
またさらに、請求項４の発明によれば、第１および第２のモータおよび歯車機構ならびに出力軸が軸線方向に並んで配置されていることに併せて、接続部が出力軸に近い端部側に配置されるから、軸線方向での寸法の制約要因が相対的に少ないいわゆる縦置きエンジンタイプの車両に適した駆動装置とすることができる。
【００４０】
そして、請求項５の発明によれば、外径の増大要因となる接続部がケーシングの端部に設けられることにより、駆動装置の全体としての外形寸法を抑制でき、また電動機と接続部とを電気的に接続するためのバスバーをケーシングに内外のいずれかに沿わせて配置できるために、その点でも外径の増大要因を抑制でき、ひいては外径が小さく車載性に優れた駆動装置を得ることができる。
【図面の簡単な説明】
【図１】この発明の一例を模式的に示す構成図である。
【図２】その接続部の配置位置を示す軸線方向から見た配置図である。
【図３】バスバーの一部を示す断面図である。
【符号の説明】
１…第１モータ・ジェネレータ、　２…第２モータ・ジェネレータ、　３…ケーシング、　１２，１７…コイル、　２１…出力軸、　２２…歯車機構、　２８…パワーケーブル、　２９，３０…接続部、　３１…バスバー、　３１ａ，３１ｂ，３１ｃ…導体、　３２…樹脂。
【図１】
2004120961.tif 000003
【図２】
2004120961.tif 000004
【図３】
2004120961.tif 000005